(57)【要約】【課題】被支持物の形状や大きさに応じて、被支持物を安定して支持することができる支持台を提供する。【解決手段】支持台１は、ほぼ円盤状の支持板２と、この支持板２に留められる第一の支持脚２０、第二の支持脚３０、第三の支持脚４０と、支持板２が取り付けられたプレート３とを有している。支持板２は、上面に複数のレール部１０が形成され、このレール部１０に第一の支持脚２０、第二の支持脚３０または第三の支持脚４０が取り付けられる。各支持脚２０，３０，４０は、レール部１０に沿って移動が可能であり、かつ、レール部１０における任意の位置で留められる。各支持脚２０，３０，４０は、上部に、被支持物が載せられて支持される。【選択図】図２
2019183887.tif 000002
【特許請求の範囲】
【請求項１】
上面が平坦であると共に、この上面に複数のレール部が形成された支持板と、
前記レール部に沿って移動可能であり、かつ、前記レール部における任意の位置で留められ、上端部に被支持物が支持される複数の支持脚と、を有する。
ことを特徴とする支持台。
【請求項２】
前記レール部が、
前記上面の中心を通って両端部が前記支持板の端で開放された直線状の無端レール部と、
前記中心近傍で一端部が閉塞し、前記支持板の端で他端部が開放された直線状の有端レール部と、から構成された、
ことを特徴とする請求項１に記載された支持台。
【請求項３】
前記レール部が、
前記中心から放射状に配置されると共に、前記中心を軸とする周方向においてほぼ等間隔に配置された、
ことを特徴とする請求項２に記載された支持台。
【請求項４】
前記レール部が、溝であると共に、前記上面に形成された幅狭部と、この幅狭部の下部に連接された幅広部とから構成され、
前記幅狭部と前記幅広部との境界が、前記端部において平坦に形成された、
ことを特徴とする請求項２または請求項３に記載された支持台。
【請求項５】
前記支持脚が、
前記上面に乗せられる脚本体部と、
前記脚本体部の下部に備えられて前記レール部に嵌合する嵌合部と、を有し、
前記嵌合部が前記レール部に嵌合した状態で、前記脚本体部が回転させられると共に前記嵌合部が前記レール部に挟まることで、前記支持脚が留められる、
ことを特徴とする請求項１から請求項４のいずれか１項に記載された支持台。
【請求項６】
前記嵌合部が、異なる二種類の直径である長直径と短直径とを有し、
前記幅広部の幅が、前記長直径よりも小さく、かつ、前記短直径よりも大きく形成された、
ことを特徴とする請求項４に従属する請求項５に記載された支持台。
【請求項７】
前記被支持物が、ナンタケットバスケットの型である、
ことを特徴とする請求項１から請求項６のいずれか１項に記載された支持台。
【発明の詳細な説明】
【技術分野】
【０００１】
本発明は、様々な被支持物を支持するための支持台に関するものである。
【背景技術】
【０００２】
従来、被支持物を設置面に直接載置させずに支持する台として、様々な装置が存在する。このような装置は、例えば、テレビなどの家電や、美術品、模型などの被支持物を支持することで、被支持物を設置面から浮かせた状態にすることができる。このような装置として、例えば、下記特許文献１に記載された家具類、ディスプレイ品等の回転板装置がある。この装置は、上下一対の円盤状の回転部材が、ボールベアリングを介して対面したものである。設置面に載置された下の回転部材に対して、被支持物が取り付けられた上の回転部材が回転することで、被支持物が任意の方向に向けられる。
【０００３】
また、他の装置として、柱状の部材を介して被支持物を浮かせた状態にするものも存在する。
【先行技術文献】
【特許文献】
【０００４】
【特許文献１】登録実用新案第３１２９２７４号公報
【発明の概要】
【発明が解決しようとする課題】
【０００５】
しかし、上記した装置は、支持することができる被支持物の大きさや形状が限られている。特に、柱状の部材の場合、単一の柱状部材に被支持物が支持されるため、被支持物の大きさによっては、被支持物が不安定な状態で支持され、被支持物が倒れる可能性がある。
【０００６】
本発明は、上記の実情に鑑みて提案されたものである。すなわち、被支持物の形状や大きさに応じて、被支持物を安定して支持することができる支持台の提供を目的とする。
【課題を解決するための手段】
【０００７】
上記目的を達成するために本発明に係る支持台は、上面が平坦であると共に、この上面に複数のレール部が形成された支持板と、前記レール部に沿って移動可能であり、かつ、前記レール部における任意の位置で留められ、上端部に被支持物が支持される複数の支持脚と、を有する。ことを特徴とする。
【０００８】
本発明に係る支持台は、前記レール部が、前記上面の中心を通って両端部が前記支持板の端で開放された直線状の無端レール部と、前記中心近傍で一端部が閉塞し、前記支持板の端で他端部が開放された直線状の有端レール部と、から構成された、ことを特徴とする。
【０００９】
本発明に係る支持台は、前記レール部が、前記中心から放射状に配置されると共に、前記中心を軸とする周方向においてほぼ等間隔に配置された、ことを特徴とする。
【００１０】
本発明に係る支持台は、前記レール部が、溝であると共に、前記上面に形成された幅狭部と、この幅狭部の下部に連接された幅広部とから構成され、前記幅狭部と前記幅広部との境界が、前記端部において平坦に形成された、ことを特徴とする。
【００１１】
本発明に係る支持台は、前記支持脚が、前記上面に乗せられる脚本体部と、前記脚本体部の下部に備えられて前記レール部に嵌合する嵌合部と、を有し、前記嵌合部が前記レール部に嵌合した状態で、前記脚本体部が回転させられると共に前記嵌合部が前記レール部に挟まることで、前記支持脚が留められる、ことを特徴とする。
【００１２】
本発明に係る支持台は、前記嵌合部が、異なる二種類の直径である長直径と短直径とを有し、前記幅広部の幅が、前記長直径よりも小さく、かつ、前記短直径よりも大きく形成された、ことを特徴とする。
【００１３】
本発明に係る支持台は、前記被支持物が、ナンタケットバスケットの型である、ことを特徴とする。
【発明の効果】
【００１４】
本発明に係る支持台は、上面が平坦であると共に、この上面に複数のレール部が形成された支持板と、レール部に沿って移動可能であり、かつ、レール部における任意の位置で留められ、上端部に被支持物が支持される複数の支持脚とを有している。この構成により、被支持物が複数の支持脚で支持されるため、被支持物を安定して支持することができる。また、複数の支持脚が、レール部に沿って移動し、任意の位置で留められるため、被支持物の形状や大きさに応じて、被支持物を安定して支持することができる。すなわち、仮に、被支持物が小さい場合は、支持脚を特定の一か所に集約させて留めることで、小さい被支持物が複数の支持脚で支持される。被支持物が大きい場合は、支持脚を方々に離散させて留めることで、大きい被支持物が複数の支持脚で支持される。
【００１５】
本発明に係る支持台は、レール部が、上面の中心を通って両端部が支持板の端で開放された直線状の無端レール部と、中心近傍で一端部が閉塞し、支持板の端で他端部が開放された直線状の有端レール部とから構成されている。この構成により、各レール部が独立しており、交差していないため、仮に各レール部が交差した場合と比較して、支持脚がレール部に沿って円滑に移動する。すなわち、各レール部が交差した場合、移動する支持脚が交差点で引っかかる場合や、支持脚同士が衝突する場合があるが、本発明は、そのような干渉が生じない。
【００１６】
本発明に係る支持台は、レール部が、中心から放射状に配置されると共に、中心を軸とする周方向においてほぼ等間隔に配置されている。この構成により、それぞれの支持脚が、それぞれのレール部における任意の位置で留められ、支持脚の配置によって、様々な形状の支持構造が実現する。
【００１７】
本発明に係る支持台は、レール部が、溝であると共に、上面に形成された幅狭部と、この幅狭部の下部に連接された幅広部とから構成され、幅狭部と幅広部との境界が、端部において平坦に形成されている。この構成により、支持脚は、レール部の端部に引っ掛かることなく、端部から円滑に挿入される。
【００１８】
本発明に係る支持台は、支持脚が、上面に乗せられる脚本体部と、脚本体部の下部に備えられてレール部に嵌合する嵌合部とを有し、嵌合部がレール部に嵌合した状態で、脚本体部が回転させられると共に嵌合部がレール部に挟まることで、支持脚が留められる。すなわち、簡便な作業で支持脚を留めることができる。
【００１９】
本発明に係る支持台は、嵌合部が、異なる二種類の直径である長直径と短直径とを有し、幅広部の幅が、長直径よりも小さく、かつ、短直径よりも大きく形成されている。この構成により、長直径がレール部の長手方向に向けられると共に短直径が幅広部の幅に揃えられることで、嵌合部が、端部からレール部に挿入され、また、レール部の任意の位置に移動する。この状態で、脚本体部が回転させられると、嵌合部が幅広部に嵌合したまま脚本体部のみが回転し、嵌合部がレール部の段部に挟まる。したがって、支持脚を任意の位置に移動させて留めることができる。
【００２０】
本発明に係る支持台は、被支持物が、ナンタケットバスケットの型である。したがって、型の形状や大きさに応じて、型を安定して支持することができる。
【図面の簡単な説明】
【００２１】
【図１】図１は、本発明の実施形態に係る支持台の外観斜視図である。
【図２】図２は、本発明の実施形態に係る支持台の分解斜視図である。
【図３】図３は、本発明の実施形態に係る支持台の支持板が示され、（ａ）は平面図、（ｂ）はレール部の拡大平面図、（ｃ）は正面図であってレール部の拡大図である。
【図４】図４は、本発明の実施形態に係る支持台の第一の支持脚が示され、（ａ）は正面図、（ｂ）は平面図、（ｃ）は底面図である。
【図５】図５は、本発明の実施形態に係る支持台の第二の支持脚が示され、（ａ）は正面図、（ｂ）は平面図、（ｃ）は底面図である。
【図６】図６は、本発明の実施形態に係る支持台において、支持脚が支持板に取り付けられる様子が示され、（ａ）は、支持脚が取り付けられる前の状態の拡大平面説明図、（ｂ）は、支持脚がレール部に挿入された状態の拡大平面説明図である。
【図７】図７は、本発明の実施形態に係る支持台において、支持脚が支持板に取り付けられる様子が示され、（ａ）は、支持脚がレール部に挿入された状態の拡大正面説明図、（ｂ）は、支持脚がレール部に留められた状態の拡大正面説明図である。
【図８】図８は、本発明の実施形態に係る支持台の使用状態が示され、（ａ）は、第一の使用状態平面図、（ｂ）は、第二の使用状態平面図、（ｃ）は、第三の使用状態平面図、（ｄ）は、第四の使用状態平面図、（ｅ）は、第五の使用状態平面図、（ｆ）は、第六の使用状態平面図である。
【発明を実施するための形態】
【００２２】
以下、本発明の実施形態に係る支持台を図面に基づいて説明する。図１は、支持台１が示され、図２は、支持台１が分解されて示されている。図３は、支持板２が示され、図４および図５は、支持脚２０，３０が示されている。
【００２３】
図１および図２に示されているとおり、支持台１は、ほぼ円盤状の支持板２と、この支持板２に留められる第一の支持脚２０、単一の第二の支持脚３０および第三の支持脚４０と、支持板２が取り付けられたプレート３とを有している。支持板２は、上面に複数のレール部１０が形成され、このレール部１０に第一の支持脚２０、第二の支持脚３０または第三の支持脚４０が取り付けられる。各支持脚２０，３０，４０は、レール部１０に沿って移動が可能であり、かつ、レール部１０における任意の位置で留められる。各支持脚２０，３０，４０は、上部に、例えばナンタケットバスケットの型などの被支持物（図示省略）が乗せられて支持される。
【００２４】
プレート３は、長方形の平板であり、ほぼ中央に、支持板２が回転部材（図示省略）を介して取り付けられている。なお、回転部材は、扁平であり、プレート３の下面側から通されたネジによってプレート３の上面に取り付けられているため、回転部材はプレート３から着脱が可能である。プレート３は、上面の両端部寄りに、把持部４が取り付けられている。なお、把持部４の構成は任意である。例えば、プレート３の両端部を把持することができる程度の孔をプレート３に開けることで把持部としてもよい。
【００２５】
支持板２は、回転部材を介して、プレート３のほぼ中央に取り付けられ、回転部材によって、プレート３に対して中心を軸として回転する。図３に示されているとおり、支持板２は、上面が平坦であると共に、この上面に、溝である複数のレール部１０が形成されている。レール部１０は、支持板２の上面の中心から放射状に伸びて配置されると共に、中心を軸とする周方向においてほぼ等間隔に配置されている。詳説すれば、レール部１０は、支持板２の中心を通って両端部が支持板２の端で開放された直線状の無端レール部１１と、支持板２の中心近傍で一端部が閉塞し、支持板２の端で他端部が開放された直線状の有端レール部１２ａ〜ｆとの二種類がある（以下、一端部を「閉塞端」、他端部を「開放端」と記す。）。なお、有端レール部１２ａ〜ｆの数は任意である。
【００２６】
各レール部１１，１２ａ〜ｆは、深さ方向において幅が異なり、支持板２を正面から視して（図３（ｃ）参照）、凸状または逆“Ｔ”字状である。各レール部１１，１２ａ〜ｆは、上面において開放されて形成された幅狭部１３と、この幅狭部１３の下部に連接されて幅狭部１３よりも幅が広く形成された幅広部１４とから構成されている。幅狭部１３と幅広部１４との境界部１５は、各レール部１１，１２ａ〜ｆの端部の形状と、この端部から支持板２の中心側の形状とで異なる。すなわち、支持板２を正面から視して（図３（ｃ）参照）、境界部１５は、各レール部１１，１２ａ〜ｆの端部の近傍において、幅狭部１３から幅広部１４に渡って平坦な傾斜部１６が形成され、端部から支持板２の中心側において、幅狭部１３と幅広部１４とで階段状の段部１７が形成されている。
【００２７】
図４に示されているとおり、第一の支持脚２０は、支持板２の上面に乗せられる第一の脚本体部２１と、この第一の脚本体部２１の下部に備えられて有端レール部１２ａ〜ｆに嵌合する嵌合部２４とを有している。第一の脚本体部２１は、ほぼ円柱状であり、複数の脚部材２２から構成されている。それぞれの脚部材２２は、円柱状であり、上方に向けて積み上げられ、凹凸構造によって嵌合する。
【００２８】
最下部の脚部材２２である下段脚部材２３は、下部に嵌合部２４が取り付けられている。嵌合部２４は、異なる二種類の直径である長直径Ｙと短直径Ｘとを有する平坦な長円形または楕円形であり、上面部に連接されたネジ軸部２５を介して、下段脚部材２３の下部にネジ構造によって取り付けられている。長直径Ｙは、支持板２に形成されたレール部１０の幅広部１４の幅よりも大きく、短直径Ｘは、レール部１０の幅広部１４の幅よりも小さく形成されている。ネジ軸部２５は、レール部１０の幅狭部１３よりも細い。下段脚部材２３の上部は、中心近傍が陥没して円柱状に凹部２６が形成さている。なお、下段脚部材２３の高さは任意である。
【００２９】
下段脚部材２３の凹部２６に嵌合されて積み上げられる上段脚部材２７は、下部の中心近傍が円柱状に突出して凸部２８が形成されている。凸部２８は、下段脚部材２３の凹部２６と嵌合する。また、上段脚部材２７の上部は、中心近傍が陥没して円柱状に凹部２９が形成さている。すなわち、上段脚部材２７が複数存在すれば、下段脚部材２７の凹部２９に、他の下段脚部材２７の凸部２８が嵌合して積み上げられる。なお、上段脚部材２７の高さや数は任意である。
【００３０】
図５に示されているとおり、第二の支持脚３０は、支持板２の上面に乗せられる第二の脚本体部３１と、この第二の脚本体部３１の下部に備えられて無端レール部１１に嵌合する嵌合部２４とを有している。第二の脚本体部３１は、昇降機構を有している。すなわち、第二の脚本体部３１は、ほぼ円柱状の筒状部３２と、この筒状部３２に挿入された棒状部（図示省略）と、棒状部の上端部に固定された支持面部３３と、棒状部に螺合されたナット部３４とから構成されている。支持面部３３は、棒状部を軸として筒状部３２に対して回転し、高さが変化する。ナット部３４が回転させられて筒状部３２の上端部に締め付けられることで、支持面部３３が一定の高さで維持される。なお、嵌合部２４の構成は、第一の支持脚２０と同じであるため、説明を省略する。
【００３１】
なお、図２に示された第三の支持脚４０は、第二の支持脚３０と概ね同様の構成であるため、以下では、第二の支持脚３０との相違に関し、概要のみが説明されている。図２に示されているとおり、第三の支持脚４０は、第三の脚本体部４１の下端部に円盤状の基台部４２が固定されている。基台部４２の下面は、嵌合部２４が取り付けられている。また、第三の支持脚４０は、支持面部４３の上面に磁石４４が備えられ、この磁石４４を介して台座部４５が着脱される。
【００３２】
次に、支持台１において第一の支持脚２０の下段脚部２３が支持板２に取り付けられる様子を図面に基づいて説明する。図６および図７は、下段脚部２３が支持板２に取り付けられる様子が示されている。なお、この様子は、第二の支持脚３０または第三の支持脚４０が支持板２に取り付けられる場合も同様であるため、第二の支持脚３０および第三の支持脚４０についての説明は省略する。
【００３３】
図６に示されているとおり、下段脚部２３の嵌合部２４が、支持板２の端から有端レール部１２ｅに挿入される際、長直径Ｙが有端レール部１２ｅの長手方向に向けられると共に短直径Ｘが幅広部１４の幅に揃えられる。幅広部１４の幅が、短直径Ｘよりも大きいため、嵌合部２４が、開放端から有端レール部１２ｅに挿入されて任意の位置に移動する。この状態で、下段脚部２３が回転させられると、幅広部１４の幅が長直径Ｙよりも小さいため、図７に示されているとおり、嵌合部２４が幅広部１４に嵌合したまま下段脚部２３のみが回転し、ネジ構造によって嵌合部２４が上昇し、下段脚部２３と嵌合部２４とでレール部１２ｅの段部１７が挟まれる。このことによって、下段脚部２３がレール部１２ｅにおける任意の位置で留められる。
【００３４】
次に、支持台１の使用例を図面に基づいて説明する。図８は、支持台１の複数の使用状態が示されている。
【００３５】
図８（ａ）に示されている支持板２は、無端レール部１１の中央に第二の支持脚３０が留められ、第一の支持脚２０が有端レール部１２ｆの閉塞端に留められている。すなわち、各支持脚２０，３０が一か所に寄せられている。この形態によれば、支持板２に対して比較的小さな被支持物が安定して支持される。
【００３６】
図８（ｂ）に示されている支持板２は、無端レール部１１の中央に第二の支持脚３０が留められ、各有端レール部１２ｂ，ｅの開放端寄りに第一の支持脚２０が留められている。すなわち、第一の支持脚２０と第二の支持脚３０とが、一直線上に配置されている。この形態であれば、比較的厚みが薄い仮想被支持物５が建てられた状態で安定して支持される。
【００３７】
図８（ｃ）に示されている支持板２は、無端レール部１１の中央に第二の支持脚３０が留められ、各有端レール部１２ａ，ｃ，ｄ，ｆの開放端寄りに第一の支持脚２０が留められている。すなわち、第一の支持脚２０が、支持板２の端の近傍で留められ、平面から視して、四隅に配置されている。この形態であれば、支持板２に対して比較的大きな被支持物が安定して支持される。
【００３８】
図８（ｄ）に示されている支持板２は、各有端レール部１２ｂ，ｄ，ｆの中間に第一の支持脚２０のみが留められ、第二の支持脚３０はレール部１０に留められていない。すなわち、平面から視して、第一の支持脚２０が三角形の頂点の位置に配置されている。この形態であれば、例えば、底面が三角形、四角形、円形などの被支持物が安定して支持される。
【００３９】
図８（ｅ）に示されている支持板２は、無端レール部１１の中央に第二の支持脚３０が留められ、各有端レール部１２ａ，ｂ，ｃ，ｄ，ｅ，ｆの閉塞端に第一の支持脚２０が留められている。すなわち、第一の支持脚２０が、支持板２の中心の近傍に集められ、第二の支持脚３０の周囲に配置されている。この形態であれば、重量がある被支持物が安定して支持される。
【００４０】
図８（ｆ）に示されている支持板２は、無端レール部１１の中央に第二の支持脚３０が留められ、各有端レール部１２ａ，ｄの開放端寄り、および、各有端レール部１２ｃ，ｆの閉塞端に、第一の支持脚２０が留められている。この形態であれば、例えば、底面が楕円形などの被支持物が安定して支持される。
【００４１】
なお、第二の支持脚３０に替えて第三の支持脚４０が無端レール部１１に取り付けられてもよい。また、無端レール部１１に第一の支持脚３０が取り付けられ、有端レール部１２ａ〜ｆに第二の支持脚３０が取り付けられてもよい。また、単一のレール部１０に複数の各支持脚２０，３０，４０が取り付けられてもよい。
【００４２】
次に、本実施形態の効果を説明する。
【００４３】
上記したとおり、本実施形態によれば、支持板２は、平坦な上面に、溝である複数のレール部１１，１２ａ〜ｆが形成されている（図３参照）。また、各支持脚２０，３０，４０は、支持板２の上面に乗せられる各脚本体部２１，３１，４１と、この各脚本体部２１，３１，４１の下部に備えられて各レール部１１，１２ａ〜ｆに嵌合する嵌合部２４とを有している（図４など参照）。この構成により、被支持物が、複数の第二の支持脚２０で支持され、または、第一の支持脚３０および第二の支持脚２０で支持され、または、第三の支持脚４０および第二の支持脚２０で支持されるため、被支持物を安定して支持することができる。また、各支持脚２０，３０，４０が、各レール部１１，１２ａ〜ｆに沿って移動し、任意の位置で留められるため、被支持物の形状や大きさに応じて、被支持物を安定して支持することができる（図８参照）。すなわち、仮に、被支持物が小さい場合は、各支持脚２０，３０を特定の一か所に集約させて留めることで（図８（ａ）参照）、小さい被支持物が複数の各支持脚２０，３０で支持される。被支持物が大きい場合は、各支持脚２０，３０を方々に離散させて留めることで（図８（ｃ）参照）、大きい被支持物が複数の各支持脚２０，３０で支持される。
【００４４】
本実施形態によれば、レール部１０は、上面の中心から放射状に延びて配置されると共に、中心を軸とする周方向においてほぼ等間隔に配置されている。詳説すれば、レール部１０は、支持板２の中心を通って両端部が支持板２の端で開放された直線状の無端レール部１１と、支持板２の中心近傍で一端部が閉塞し、支持板２の端で他端部が開放された直線状の有端レール部１２ａ〜ｆとの二種類がある。すなわち、各レール部１１，１２ａ〜ｆが独立して交差していないため、仮に各レール部１１，１２ａ〜ｆが交差した場合と比較して、各支持脚２０，３０，４０が各レール部１１，１２ａ〜ｆに沿って円滑に移動する。また、各支持脚２０，３０，４０が、各レール部１１，１２ａ〜ｆにおける任意の位置で留められ、各支持脚２０，３０，４０の配置によって、様々な形状の支持構造が実現する（図８参照）。
【００４５】
本実施形態によれば、各レール部１１，１２ａ〜ｆは、深さ方向において幅が異なり、上面において開放されて形成された幅狭部１３と、この幅狭部１３の下部に連接されて幅狭部１３よりも幅が広く形成された幅広部１４とから構成されている（図３参照）。幅狭部１３と幅広部１４との境界部１５は、各レール部１１，１２ａ〜ｆの端部の近傍において、幅狭部１３から幅広部１４に渡って平坦な傾斜部１６が形成されている。すなわち、端部の近傍が面取りされていることで、各支持脚２０，３０，４０の嵌合部２４は、各レール部１１，１２ａ〜ｆの開放端に引っ掛かることなく、開放端から円滑に挿入することができる。
【００４６】
本実施形態によれば、各支持脚２０，３０，４０の嵌合部２４は、異なる二種類の直径である長直径Ｙと短直径Ｘとを有する平坦な長円形または楕円形である。嵌合部２４が、支持板２の端部から各レール部１１，１２ａ〜ｆに挿入される際、長直径Ｙが各レール部１１，１２ａ〜ｆの長手方向に向けられると共に短直径Ｘが幅広部１４の幅に揃えられる。幅広部１４の幅が、短直径Ｘよりも大きいため、嵌合部２４が、開放端から各レール部１１，１２ａ〜ｆに挿入されて任意の位置に移動する。この状態で、各支持脚２０，３０，４０が回転させられると、幅広部１４の幅が長直径Ｙよりも小さいため、嵌合部２４が幅広部１４に嵌合したまま各支持脚２０，３０，４０のみが回転し、ネジ構造によって嵌合部２４が上昇し、各支持脚２０，３０，４０と嵌合部２４とで各レール部１１，１２ａ〜ｆの段部１７が挟まれる。したがって、簡便な作業で、各支持脚２０，３０，４０を各レール部１１，１２ａ〜ｆにおける任意の位置で留めることができる。
【００４７】
本実施形態によれば、第一の支持脚２０の第一の脚本体部２１は、各脚部材２３，２７から構成されている。各脚部材２３，２７は、上方に向けて積み上げられ、凹凸構造によって嵌合する。また、第二の支持脚３０および第三の支持脚４０は、支持面部３３，４３が昇降する。したがって、各支持脚２０，３０，４０の高さを任意に変えることができる。
【００４８】
本実施形態によれば、支持板２は、回転部材を介して、プレート３のほぼ中央に取り付けられ、回転部材によって、プレート３に対して中心を軸として回転する。したがって、被支持物を任意の向きに向けることができる。その際、利用者が、第一の支持脚２０を把持して支持板２を回転させれば、容易に操作することができる。
【００４９】
なお、上記した実施形態におけるレール部１０は溝であるが、本発明の他の実施形態として、レール部は溝以外であってもよい。
【００５０】
また、本発明の他の実施形態として、有端レール部１２ａ〜ｆの全部または一部が、支持板２の中心に至ることで、無端レール部１１と交わっていてもよい。この場合、交差点を通ることで各支持脚２０，３０，４０が、各レール部１１，１２ａ〜ｆ間を移動することができる。したがって、支持構造の変形が容易である。
【００５１】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５２】
１          支持台
２          支持板
３          プレート
４          把持部
１０        レール部（溝）
１１        無端レール部（レール部、溝）
１２ａ〜ｆ  有端レール部（レール部、溝）
１３        幅狭部
１４        幅広部
１５        境界部
１６        傾斜部
１７        段部
２０        第一の支持脚（支持脚）
２１        第一の脚本体部
２２        脚部材
２３        下段脚部材
２４        嵌合部
２５        ネジ軸部
２６        凹部
２７        上段脚部材
２８        凸部
２９        凹部
３０        第二の支持脚（支持脚）
３１        第二の脚本体部
３２        筒状部
３３        支持面部
３４        ナット部
４０        第三の支持脚（支持脚）
４１        第三の脚本体部
４２        基台部
４３        支持面部
４４        磁石
４５        台座部
Ｘ          短直径
Ｙ          長直径
【図１】
2019183887.tif 000003
【図２】
2019183887.tif 000004
【図３】
2019183887.tif 000005
【図４】
2019183887.tif 000006
【図５】
2019183887.tif 000007
【図６】
2019183887.tif 000008
【図７】
2019183887.tif 000009
【図８】
2019183887.tif 000010
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
上面が平坦であると共に、この上面に複数のレール部が形成された支持板と、
前記レール部に沿って移動可能であり、かつ、前記レール部における任意の位置で留められ、上端部に被支持物が支持される複数の支持脚と、を有し、
前記レール部が、
前記上面の中心を通って両端部が前記支持板の端で開放された直線状の無端レール部と、
前記中心近傍で一端部が閉塞し、前記支持板の端で他端部が開放された直線状の有端レール部と、から構成され、前記中心から放射状に配置されると共に、前記中心を軸とする周方向においてほぼ等間隔に配置された、
ことを特徴とする支持台。
【請求項２】
前記レール部が、溝であると共に、前記上面に形成された幅狭部と、この幅狭部の下部に連接された幅広部とから構成され、
前記幅狭部と前記幅広部との境界が、前記端部において平坦に形成された、
ことを特徴とする請求項１に記載された支持台。
【請求項３】
前記支持脚が、
前記上面に乗せられる脚本体部と、
前記脚本体部の下部に備えられて前記レール部に嵌合する嵌合部と、を有し、
前記嵌合部が前記レール部に嵌合した状態で、前記脚本体部が回転させられると共に前記嵌合部が前記レール部に挟まることで、前記支持脚が留められる、
ことを特徴とする請求項１または請求項２に記載された支持台。
【請求項４】
前記嵌合部が、異なる二種類の直径である長直径と短直径とを有し、
前記幅広部の幅が、前記長直径よりも小さく、かつ、前記短直径よりも大きく形成された、
ことを特徴とする請求項３に記載された支持台。
【請求項５】
前記被支持物が、ナンタケットバスケットの型である、
ことを特徴とする請求項１から請求項４のいずれか１項に記載された支持台。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
上面が平坦であると共に、この上面に複数のレール部が形成された支持板と、
前記レール部に沿って移動可能であり、かつ、前記レール部における任意の位置で留められ、上端部に被支持物が支持される複数の支持脚と、を有し、
前記レール部が、
前記上面の中心を通って両端部が前記支持板の端で開放された直線状の無端レール部と、
前記中心近傍で一端部が閉塞し、前記支持板の端で他端部が開放された直線状の有端レール部と、から構成され、前記中心から放射状に配置されると共に、前記中心を軸とする周方向においてほぼ等間隔に配置された、
ことを特徴とする支持台。
【請求項２】
前記レール部が、溝であると共に、前記上面に形成された幅狭部と、この幅狭部の下部に連接された幅広部とから構成され、
前記幅狭部と前記幅広部との境界が、前記端部において平坦に形成された、
ことを特徴とする請求項１に記載された支持台。
【請求項３】
前記支持脚が、
前記上面に乗せられる脚本体部と、
前記脚本体部の下部に備えられて前記レール部に嵌合する嵌合部と、を有し、
前記嵌合部が前記レール部に嵌合した状態で、前記脚本体部が回転させられると共に前記嵌合部が前記レール部に挟まることで、前記支持脚が留められる、
ことを特徴とする請求項１または請求項２に記載された支持台。
【請求項４】
前記嵌合部が、異なる二種類の直径である長直径と短直径とを有し、
前記幅広部の幅が、前記長直径よりも小さく、かつ、前記短直径よりも大きく形成された、
ことを特徴とする請求項２を引用する請求項３に記載された支持台。
【請求項５】
前記被支持物が、ナンタケットバスケットの型である、
ことを特徴とする請求項１から請求項４のいずれか１項に記載された支持台。